(57)【要約】【課題】携帯端末の厚さを厚くすることなく厚さ方向に丸みを設けながら、充電池をできるだけ大きくする。【解決手段】表示部３を収容する表示部収容部４ａを有する正面側キャビネット４を設け、この表示部収容部４ａの底部を金属プレート５で構成する。この金属プレート５の背面側に充電池６を設けると共に、金属プレート５から先端７ａが充電池６を越えて延びる放熱用アングル７を設ける。放熱用アングル７の先端７ａに充電池６よりも幅の小さいメイン基板８を接続し、充電池６の背面側に間隔をあけて配置する。【選択図】図１
2014022816.tif 000002
【特許請求の範囲】
【請求項１】
表示部を有する携帯端末において、
上記表示部を収容する表示部収容部を有する正面側キャビネットと、
上記表示部収容部の底部を構成する金属プレートと、
上記金属プレートの背面側に配置される充電池と、
上記金属プレートに結合されて先端が上記充電池を越えて延びる放熱用アングルと、
上記放熱用アングルの先端に接続され、上記充電池の背面側に配置され、該充電池よりも幅の小さいメイン基板と、
上記メイン基板を背面側から覆う背面側キャビネットとを有する
ことを特徴とする携帯端末。
【請求項２】
請求項１に記載の携帯端末において、
上記メイン基板は、上記充電池の背面側に間隔をあけて配置されている
ことを特徴とする携帯端末。
【請求項３】
請求項１又は２に記載の携帯端末において、
上記メイン基板は、補強用金属フレームを有し、
上記放熱用アングルが上記補強用金属フレームに接続されている
ことを特徴とする携帯端末。
【請求項４】
請求項３に記載の携帯端末において、
上記放熱用アングルは、金属製であり、上記補強用金属フレームに接続されることで電気的に接地されている
ことを特徴とする携帯端末。
【発明の詳細な説明】
【技術分野】
【０００１】
本発明は、表示部を有する携帯端末に関するものである。
【背景技術】
【０００２】
従来より、表示部を有するスマートフォンなどの携帯端末においては、正面側キャビネットの表示部収容部に表示部を収容し、その表示部収容部の底部を構成する金属プレートの背面側に基板を配置し、その背面に充電池を配置し、電池蓋で覆っている（例えば、特許文献１参照）。
【先行技術文献】
【特許文献】
【０００３】
【特許文献１】特開２０１２−１０００３３号公報（第５〜６頁、図５）
【発明の概要】
【発明が解決しようとする課題】
【０００４】
しかしながら、従来の構造の場合、上記特許文献１のように電池蓋などにおいて背面側に大きな半径の丸みを設けると、充電池の外形（幅）を小さくしなければならない。電池容量を多きく保つためには、電池蓋に丸みを設けることができず、角張ったデザイン性の悪い携帯端末となるという問題がある。
【０００５】
一方で、電池とメイン基板とを正面から見て重なり合わないように配置すると、携帯端末の厚みを小さくできたとしても、全体の大きさが大きくなってしまう。
【０００６】
本発明は、かかる点に鑑みてなされたものであり、その目的とするところは、携帯端末の厚さを厚くすることなく厚さ方向に丸みを設けながら、充電池をできるだけ大きくすることにある。
【課題を解決するための手段】
【０００７】
上記の目的を達成するために、この発明では、表示部とメイン基板との間に充電池を設け、表示部背面の金属プレートにメイン基板を接続した。
【０００８】
具体的には、第１の発明では、表示部を有する携帯端末を対象とする。
【０００９】
そして、上記携帯端末は、
上記表示部を収容する表示部収容部を有する正面側キャビネットと、
上記表示部収容部の底部を構成する金属プレートと、
上記金属プレートの背面側に配置される充電池と、
上記金属プレートに結合されて先端が上記充電池を越えて延びる放熱用アングルと、
上記放熱用アングルの先端に接続され、上記充電池の背面側に配置され、該充電池よりも幅の小さいメイン基板と、
上記メイン基板を背面側から覆う背面側キャビネットとを有する。
【００１０】
上記の構成によると、充電池が、表示部収容部の底部の金属プレートと、充電池よりも幅の小さいメイン基板との間に配置されているので、携帯端末の厚さ方向に丸みを持たせても、充電池の幅を小さくする必要がない。また、メイン基板を放熱用アングルで金属プレートに接続しているので、電池蓋に背面側を覆われたメイン基板に溜まった熱が金属プレートから放熱される。
【００１１】
第２の発明では、第１の発明において、
上記メイン基板は、上記充電池の背面側に間隔をあけて配置されている。
【００１２】
上記の構成によると、メイン基板が、充電池との間に間隔をあけるように放熱用アングルに接続されているので、充電池が膨らんでもメイン基板及びその回路部品を傷めることはない。
【００１３】
第３の発明では、第１又は第２の発明において、
上記メイン基板は、補強用金属フレームを有し、
上記放熱用アングルが上記補強用金属フレームに接続されている。
【００１４】
上記の構成によると、補強用金属フレームでメイン基板を補強した状態で放熱用アングルでメイン基板を支持するようにしているので、メイン基板の剛性が確保される。
【００１５】
第４の発明では、第３の発明において、
上記放熱用アングルは、金属製であり、上記補強用金属フレームに接続されることで電気的に接地されている。
【００１６】
上記の構成によると、放熱用アングルにより、補強用金属フレームと金属プレートとが電気的に接続されることで、容易にメイン基板の接地を行うことができる。
【発明の効果】
【００１７】
以上説明したように、本発明によれば、表示部収容部の底部を構成する金属プレートから放熱用アングルの先端を充電池を越えて延ばし、その先端に充電池の背面側に充電池よりも幅の小さいメイン基板を接続したことにより、携帯端末に厚さ方向に丸みを設けながら厚さを厚くすることなく、充電池をできるだけ大きくすることができる。
【図面の簡単な説明】
【００１８】
【図１】図３のＩ部拡大断面図である。
【図２】本発明の実施形態に係る携帯電話機を示す正面図である。
【図３】図２のIII-III線断面図である。
【発明を実施するための形態】
【００１９】
以下、本発明の実施形態を図面に基づいて説明する。
【００２０】
図１〜図３は、本発明の実施形態の携帯端末としての携帯電話機１（スマートフォン）を示し、この携帯電話機１は、ガラスカバー２で覆われた状態で表示部３を収容する表示部収容部４ａを有する正面側キャビネット４を有する。表示部収容部４ａの底部は、ステンレス鋼板、アルミニウム鋼板などよりなる金属プレート５がインサート成形されている。
【００２１】
この金属プレート５の背面側には、矩形板状の充電池６が配置されている。充電池６は、例えば、金属プレート５の背面に両面テープ等により貼り付けられている。そして、金属プレート５の左右端部には、一対の放熱用アングル７が結合され、各先端７ａが充電池６を越えて左右内側へ折り曲げられている。放熱用アングル７は、ステンレス鋼板、アルミニウム鋼板等の金属よりなり、その肉厚等は特に限定されず、結合方法も溶接、ビス締結、カシメ構造等特に限定されない。
【００２２】
放熱用アングル７の先端７ａには、携帯電話機１の制御を行うメイン基板８が接続されている。具体的には、メイン基板８の幅Ｗ１は、充電池６の幅Ｗ２よりも狭い矩形板状であり（Ｗ１＜Ｗ２）、メイン基板８の放熱用アングル７の先端７ａに対応する位置には、ステンレス鋼板等の金属よりなる板状の補強用金属フレーム９が固定されている。補強用金属フレーム９でメイン基板８を補強した状態で放熱用アングル７でメイン基板８を支持するようにしているので、メイン基板８の左右端部の剛性が確保されている。
【００２３】
この補強用金属フレーム９に先端７ａがビス止め、接着、溶接、カシメ構造等により接続されている。このことで、充電池６の背面側に充電池６と間隔ｈをあけてメイン基板８が放熱用アングル７によって支持されている。そして、放熱用アングル７は金属製であり、補強用金属フレーム９に接続されることで電気的に接地されている。
【００２４】
そして、メイン基板８の背面側には、複数の回路部品１０が配置されている。メイン基板８は、背面側から矩形皿状の背面側キャビネット１１で覆われている。背面側キャビネット１１は、例えば樹脂成形品よりなり、図１に示すように、上下に切断する断面で見ると、角部が大きく丸められている。
【００２５】
このように、充電池６を表示部収容部４ａの底部の金属プレート５と、充電池６の幅Ｗ２よりも幅Ｗ１が小さいメイン基板８との間に配置したので、携帯電話機１の厚さ方向に丸みを持たせても、充電池６の幅を小さくする必要がなく、メイン基板８も背面側キャビネット１１の内側（正面側）に収まる。
【００２６】
また、メイン基板８を放熱用アングル７で金属プレート５に接続しているので、ＣＰＵなどの回路部品１０において発生し、メイン基板８に溜まった熱が表面積の広い金属プレート５から効果的に放熱される。
【００２７】
さらに、メイン基板８と充電池６との間に間隔ｈが保たれているので、充電池６が膨らんでもメイン基板８及びその回路部品１０を傷めることはない。
【００２８】
しかも、放熱用アングル７により、補強用金属フレーム９と金属プレート５とが電気的に接続されることで、容易にメイン基板８の接地を行うことができる。
【００２９】
したがって、本実施形態に係る携帯電話機１によると、携帯電話機１の厚さを厚くすることなく厚さ方向に丸みを設けながら、充電池６をできるだけ大きくすることができる。
【００３０】
（その他の実施形態）
本発明は、上記実施形態について、以下のような構成としてもよい。
【００３１】
すなわち、上記実施形態では、携帯電話機１は、一対の正面側及び背面側キャビネットを有するストレート型としたが、複数の表示部を有する折畳み式の携帯端末でもよい。その場合にも、一方の表示部を有する正面側及び背面側キャビネットの間で本発明の構成を設けるとよい。
【００３２】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３３】
なお、以上の実施形態は、本質的に好ましい例示であって、本発明、その適用物や用途の範囲を制限することを意図するものではない。
【産業上の利用可能性】
【００３４】
以上説明したように、本発明は、表示部を有する携帯電話機などの携帯端末について有用である。
【符号の説明】
【００３５】
１      携帯電話機（携帯端末）
２      ガラスカバー
３      表示部
４      正面側キャビネット
４ａ    表示部収容部
５      金属プレート
６      充電池
７      放熱用アングル
７ａ    先端
８      メイン基板
９      補強用金属フレーム
１０      回路部品
１１      背面側キャビネット
【図１】
2014022816.tif 000003
【図２】
2014022816.tif 000004
【図３】
2014022816.tif 000005